(57)【要約】【課題】様々な人がいろいろな場面で使い易い手すりを得る。【解決手段】手すり１０は、使用者が把持する把持棒３０を備えている。把持棒３０は、直線状に形成された水平把持部３１と、水平把持部３１に連なり、平面視で、水平把持部３１と交差する方向に湾曲しながら延びる湾曲把持部３２とを備えている。湾曲把持部３２が水平把持部３１と交差する方向に湾曲しながら延びていることで、使用者は手を常に同じ方向に向けることなく、色々な方向に向けた状態で把持棒３０を把持することが可能になる。【選択図】図２
0003148521.tif 000002
【実用新案登録請求の範囲】
【請求項１】
使用者が把持する把持棒を備えた手すりであって、
上記把持棒は、直線状に形成された第１把持部と、
上記第１把持部に連なり、平面視で、該第１把持部と交差する方向に湾曲しながら延びる第２把持部とを備えていることを特徴とする手すり。
【請求項２】
請求項１に記載の手すりにおいて、
把持棒を下方から支持する支柱部材を備え、
第２把持部は、上記支柱部材から上方へ向かって水平方向に湾曲しながら延びていることを特徴とする手すり。
【請求項３】
請求項１または２に記載の手すりにおいて、
把持棒は可動マットレスを備えるベッドの側方に配置され、
第１把持部の長手方向両端部にそれぞれ第２把持部が設けられ、
上記両第２把持部の間は開放されていることを特徴とする手すり。
【請求項４】
請求項１または２に記載の手すりにおいて、
把持棒は可動マットレスを備えるベッドの側方に配置され、
第２把持部は、可動マットレスから離れる方向に湾曲するように形成されていることを特徴とする手すり。
【請求項５】
請求項１に記載の手すりにおいて、
把持棒を下方から支持する支柱部材を備え、
上記把持棒は可動マットレスを備えるベッドの側方に配置され、
上記支柱部材には、上記把持棒と上記ベッドとの水平方向の離間寸法を所定寸法以上とするための位置決め部材が設けられていることを特徴とする手すり。
【考案の詳細な説明】
【技術分野】
【０００１】
本考案は、身体を支える際に使用される手すりに関するものであり、特に、使用者が把持する把持棒の構造の技術分野に属する。
【背景技術】
【０００２】
一般に、家屋において玄関と土間との間には段差が設けられることが多いが、該段差が大きい場合には、高齢者や身障者にとっては段差を昇降することが困難になる。そこで従来より、このような段差の昇降を補助するための手すりを設けることが行われている。特開平１０−１８３９２５号公報には、使用者が把持するための把持棒が水平方向に延びるように形成された手すりが開示されている。
【考案の開示】
【考案が解決しようとする課題】
【０００３】
ところで、手すりの使用者は把持棒を把持する際に、把持棒の延びる方向に合わせて手の向きを変える必要があるが、上記従来の手すりの把持棒は水平方向に延びているだけなので、どの部位を把持する場合でも、手を同じ方向に向けなければならない。
【０００４】
しかし、身体を支える際に力を入れやすい手の向きは、人によって異なるととももに、把持するときの場面によっても異なることがあり、また、特に高齢者や身障者では手の向きを把持棒に合わせるのが困難な場合がある。
【０００５】
本考案は、かかる点に鑑みてなされたものであり、その目的とするところは、様々な人がいろいろな場面で使い易い手すりを得ることにある。
【課題を解決するための手段】
【０００６】
上記の課題を解決するために本考案の手すりは、次に示す構成を有している。
【０００７】
第１の考案では、使用者が把持する把持棒を備えた手すりであって、上記把持棒は、直線状に形成された第１把持部と、上記第１把持部に連なり、平面視で、該第１把持部と交差する方向に湾曲しながら延びる第２把持部とを備えている構成とする。
【０００８】
この構成によれば、直線状の第１把持部に対し、第２把持部が第１把持部と交差する方向に延びているので、第１把持部を把持するときと、第２把持部を把持するときとで手の向きが変わることになる。そして、第２把持部が湾曲していることで、第２把持部を把持する部位によっても手の向きは変わることになる。よって、手を常に同じ方向に向けることなく、色々な方向に向けた状態で把持棒を把持することが可能になる。
【０００９】
第２の考案では、第１の考案において、把持棒を下方から支持する支柱部材を備え、第２把持部は、上記支柱部材から上方へ向かって水平方向に湾曲しながら延びている構成とする。
【００１０】
この構成によれば、第２把持部を把持する際に把持位置を上下方向に変えるだけで手の向きを変えることが可能になる。
【００１１】
第３の考案では、第１または２の考案において、把持棒は可動マットレスを備えるベッドの側方に配置され、第１把持部の長手方向両端部にそれぞれ第２把持部が設けられ、上記両第２把持部の間は開放されている構成とする。
【００１２】
この構成によれば、例えば、可動マットレス上の寝具等が両第２把持部の間に存在している状態で可動マットレスを上方へ動かした場合に、両第２把持部の間が開放されていることにより、寝具等が第２把持部に干渉し難くなる。これにより、可動マットレスを安全に動かすことが可能になる。
【００１３】
第４の考案では、第１または２の考案において、把持棒は可動マットレスを備えるベッドの側方に配置され、第２把持部は、可動マットレスから離れる方向に湾曲するように形成されている構成とする。
【００１４】
この構成によれば、第２把持部が可動マットレス上の寝具等に干渉し難くなり、可動マットレスを安全に動かすことが可能になる。
【００１５】
第５の考案では、第１の考案において、把持棒を下方から支持する支柱部材を備え、上記把持棒は可動マットレスを備えるベッドの側方に配置され、上記支柱部材には、上記把持棒と上記ベッドとの水平方向の離間寸法を所定寸法以上とするための位置決め部材が設けられている構成とする。
【００１６】
この構成によれば、位置決め部材により、把持棒をベッドから水平方向に所定寸法以上離して配置することが可能になる。これにより、把持棒が可動マットレス上の寝具等に干渉し難くなり、可動マットレスを安全に動かすことが可能になる。
【考案の効果】
【００１７】
本考案によれば、把持棒が、直線状の第１把持部と、第１把持部と交差する方向に湾曲しながら延びる第２把持部とを備えているので、手を色々な方向に向けた状態で把持棒を把持することができ、これにより、様々な人がいろいろな場面において使い易い手すりとすることができる。
【考案を実施するための最良の形態】
【００１８】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００１９】
図１は、本考案の実施形態に係る手すり１０の正面図である。この手すり１０は、図２に仮想線で示す可動マットレス１００を備えるベッド１０１周りに配置され、ベッド１０１に横たわる使用者（例えば、高齢者や身障者）Ａ（図３に仮想線で示す）が身体を支えるときに使用するものである。可動マットレス１００は、図示しない電動モーター等を用いて使用者Ａの上半身側を起こすことができるように構成された周知の構造のものであるため、詳細な説明は省略する。
【００２０】
手すり１０は、床面に敷設するマット部材１５と、マット部材１５に立設された支柱部材２０と、支柱部材２０の上端に取り付けられた把持棒３０とを備えている。
【００２１】
図３に示すように、上記マット部材１５は、四隅のコーナー部が円弧状に面取りされた略矩形状の金属製の板状体で構成され、ベッド１００の下方に配置されるようになっている。マット部材１５の表面にはサビ止めや滑り止めのための樹脂材が貼着されている。このマット部材１５の長手方向の一端（図３では上端）及び略中央位置には、支柱取付孔１６，１６，・・・（上端側は図示せず）が形成されている。具体的に、この支柱取付孔１６は、後述する支柱部材２０のロア部材２１（図１参照）のフランジ部２１ａに対応して該フランジ部２１ａの周方向に等間隔に４つ形成され、この４つの支柱取付孔１６の組が、マット部材１５の幅方向（図３では左右方向）に間隔をあけて設けられている。尚、マット部材１５の長手方向の寸法は、本実施形態では７００ｍｍであるが、６００ｍｍ以上８００ｍｍ以下が好ましく、また、マット部材１５の幅方向の寸法は、本実施形態では６００ｍｍであるが、５００ｍｍ以上７００ｍｍ以下が好ましい。
【００２２】
なお、この４つの支柱取付孔１６，１６，・・・の組は、マット部材１５の長手方向の他端（図３では下端）にも設けるようにしてもよい。このようにすれば、マット部材１５の長手方向の両端にそれぞれ支柱部材２０を立設させて把持棒３０を設けることができ、より安定して使用者Ａの身体を支えることができる。
【００２３】
図１に示すように、上記支柱部材２０は、把持棒３０を所定の高さ位置で下方から支持するためのものであり、マット部材１５の幅方向に間隔をあけて２本配設されている。そして、この支柱部材２０は、マット部材１５から鉛直上向きに延びる円筒状のロア部材２１と、ロア部材２１の下側を覆うカバー部２２と、ロア部材２１の筒内径よりも小径で且つロア部材２１の筒内に挿入されるアッパ部材２３と、アッパ部材２３を所定の高さ位置でロア部材２１に対し固定するための固定部２４と、アッパ部材２３の上端に設けられ把持棒３０を挟持する挟持部２５とを備えている。
【００２４】
上記ロア部材２１の下端部には、マット部材１５の上面に当接するフランジ部２１ａが形成されている。フランジ部２１ａには、周方向に等間隔に貫通孔（図示せず）が４つ形成されており、これら４つの貫通孔の形成位置は、マット部材１５の４つの支柱取付孔１６、１６，…に一致するようになっている。フランジ部２１ａの貫通孔をマット部材１５の支柱取付孔１６に一致させて締結ボルト（図示せず）でマット部材１５に締結することで、ロア部材２１がマット部材１５に取り付けられるようになっている。なお、図３に示す例では、支柱部材２０のロア部材２１はマット部材１５の長手方向の一端側に取り付けられている。また、図４に示す例では、支柱部材２０のロア部材２１はマット部材１５の略中央位置に取り付けられている。
【００２５】
上記カバー部２２は、ロア部材２１の下側部分及びフランジ部２１ａを覆う円筒状に形成されている。このカバー部２２により、フランジ部２１ａを締結する締結ボルトも覆われるようになっている。ロア部材２１をマット部材１５に取り付けた後、このカバー部２２を取り付けることで、締結ボルトが外側から見えないようになり、見栄えが良くなるとともに、使用者Ａ等が締結ボルトを誤って踏むことも無くなり、安全性を高めることができる。
【００２６】
上記アッパ部材２３は、ロア部材２１の筒内に挿入された状態で上下方向に摺動自在となっている。アッパ部材２３を上下方向に摺動させることで、把持棒３０の高さ位置を自由に設定できるようになっている。
【００２７】
上記固定部２４は、アッパ部材２３をロア部材２１の筒内で摺動させた後、アッパ部材２３をその位置で固定するためのものである。固定部２４は、ロア部材２１の上端部を、その内径が小さくなる方向に締め付けるための締め付け用ネジ（図示せず）を有している。この締め付け用ネジを締めてロア部材２１の上端部内径を小さくすることで、アッパ部材２３の外面をロア部材２１の上端部内面で締め付けてアッパ部材２３を固定することができるようになっている。固定部２４をこのような構造とすることで、把持棒３０の高さ位置は無段階に調整することが可能になる。尚、把持棒３０の上端がマット部材１５の上面から７００ｍｍ以上８００ｍｍ以下となるように調整代を設定するのが好ましいが、調整代はこの範囲から外れていてもよい。
【００２８】
また、上記アッパ部材２３，２３同士は連結されておらず、両アッパ部材２３，２３の間は開放されている。
【００２９】
上記狭持部２５は、把持棒３０の外周面に対応した内周面を有する上下に分割可能な半割状の２つの分割体２５ａ，２５ａを連結させて構成したものである。そして、狭持部２５をなす２つの分割体２５ａ，２５ａのうち１つは、アッパ部材２３の上端に、上方に開放する向きで取り付けられている。また、この狭持部２５の分割体２５ａ，２５ａには、それぞれ開放側の縁にボルト孔（図示せず）を有するフランジ２５ｃ，２５ｃが形成されている。フランジ２５ｃ，２５ｃ同士が重ね合わされた状態でボルト孔に通したボルト（図示せず）にナット（図示せず）を螺合させることで分割体２５ａ，２５ａが連結されるようになっている。このような狭持部２５によれば、ナットを緩めて分割体２５，２５を分離することにより、把持棒３０と支柱部材２０との係合を解除できるので、把持棒３０を支柱部材２０に対して着脱自在に狭持することができる。また、把持棒３０の支柱部材２０に対する固定位置の微調整も可能である。
【００３０】
図１〜図３に示すように、上記把持棒３０は、略水平に直線状に延びる水平把持部（第１把持部）３１と、水平把持部３１の長手方向両端部に連なり、湾曲形成された一対の湾曲把持部（第２把持部）３２，３２とを備えている。把持棒３０の太さは、本実施形態では、３５ｍｍであるが、３０ｍｍ以上４５ｍｍ以下が好ましい。また、把持棒３０の長手方向（図１の左右方向）の寸法は、本実施形態では４００ｍｍであるが、３００ｍｍ以上５００ｍｍ以下が好ましく、把持棒３０の幅方向（図３の上下方向）の寸法は、本実施形態では、１８０ｍｍであるが、１５０ｍｍ以上２５０ｍｍ以下が好ましい。
【００３１】
水平把持部３１の向きはその長手方向がマット部材１５の幅方向と一致するように設定されている。水平把持部３１の長さは、支柱部材２０，２０の離間寸法と略同じに設定されている。
【００３２】
両湾曲把持部３２，３２は同じ形状となっている。各湾曲把持部３２は、挟持部２５に挟持される被挟持部３２ａと、被挟持部３２ａから上方へ向けて水平方向に湾曲しながら延びる下側湾曲部３２ｂと、下側湾曲部３２ｂの上端部から水平把持部３１の端部まで延びる上側湾曲部３２ｃとを有している。
【００３３】
被挟持部３２ａは、図３に示す平面視で水平把持部３１と略直交する方向に略水平に延びている。下側湾曲部３２ｂは、図２に示す側面視で被挟持部３２ａと水平把持部３１との間に開放する略Ｕ字状をなすように滑らかに湾曲している。図１に示すように、両湾曲把持部３２，３２の下側湾曲部３２ｂ，３２ｂは、上側へ行くほど、互いの離間寸法が長くなるように傾いている。下側湾曲部３２ｂと被把持部３２ａとは、境界部分が分からないように滑らかに連続している。
【００３４】
上側湾曲部３２ｃは、図３に示す平面視で水平把持部３１の端部から該水平把持部３１と交差する方向に湾曲しながら下側湾曲部３２ｂの上端部まで延びている。また、上側湾曲部３２ｃは、図２に示すように、下側湾曲部３２ｂに近づくほど下に位置するように全体として傾斜している。また、上側湾曲部３２ｃと下側湾曲部３２ｂとは境界部分が分からないように、滑らかに連続している。
【００３５】
上記湾曲把持部３２，３２は水平把持部３１でのみ互いに連なっている。従って、湾曲把持部３２，３２の水平把持部３１よりも下側には、湾曲把持部３２，３２同士を連結するための連結部材はなく、両湾曲把持部３２，３２の間は開放されている。
【００３６】
また、図５に示すように、上記把持棒３０は、パイプ材４０と、パイプ材４０を被覆する被覆部材４１とで構成されている。被覆部材４１は、軟質樹脂又はゴム等で構成されている。具体的に、被覆部材４１の筒部内周面４１ａには、筒部内周面４１ａから筒部内方に突出して長手方向に延び且つ周方向に等間隔に配置されたリブ４２，４２，・・・が設けられている。各リブ４２の先端はパイプ材４０の外周面に接している。図５に示す例では、リブ４２は周方向に８本設けられているが、リブ４２の本数は任意に設定することができる。
【００３７】
これにより、使用者Ａが把持棒３０を握った際に、被覆部材４１が指や手のひらに沿うように変形し、使用者Ａの手が一層滑り難くなるとともに、把持棒３０を握ったときの感触が良くなる。なお、パイプ材４０の材質としては、金属、木材、樹脂等であってもよく、パイプ材４０の代わりに中実部材を用いてもよい。また、把持棒３０を覆う軟質樹脂やゴムの表面には、凹部ないし凸部が形成されてもよい。このことによっても、把持棒３０を把持する手がより一層滑り難くなる。また、被覆部材４１は省略することも可能である。
【００３８】
図２及び図３に示すように、各支柱部材２０には、把持棒３０とベッド１０１との水平方向の離間寸法を所定寸法以上とするための位置決め部材４５が設けられている。位置決め部材４５は、アッパ部材２３の上下方向中間部に取り付けられており、把持棒３０の下側湾曲部３２ｂの湾曲方向と反対側へ向けて突出するように形成されている。位置決め部材４５の突出方向先端面はベッド１０１のサイドフレーム１０１ａに当接するようになっており、その先端面の位置は、把持棒３０とベッド１０１との水平方向の離間寸法が１２０ｍｍとなるように設定されているが、この距離は、例えば、９０ｍｍ以上１５０ｍｍ以下の範囲が好ましい。これにより、把持棒３０とベッド１０１とが接近し過ぎた状態となるのが防止され、マットレス１００を上方へ動かす際にマットレス１００上の寝具等が把持棒３０に干渉し難くなる。尚、位置決め部材４５は１つだけ設けてもよい。
【００３９】
次に、上記のように構成された手すり１０を使用者Ａが使用する場合について説明する。手すり１０を設置する際には、まず、図３に示すように、把持棒３０の水平把持部３１がベッド１０１のサイドフレーム１０１ａと平行となるように把持棒３０の向きを決めて、マット部材１５をベッド１０１の下方に置く。そして、支柱部材２０の位置決め部材４５の先端面がベッド１０１のサイドフレーム１０１ａに当接するまで手すり１０を移動させて把持棒３０をサイドフレーム１０１ａに近づけていく。このとき、図２に示すように、把持棒３０の高さは、該把持棒３０の被挟持部３２ａがマットレス１００の上面近傍か、上面よりも若干高い所に位置するように調整する。これにより、使用者Ａや寝具がマットレス１００から側方へ落ちるのが防止される。この把持棒３０の高さ調整は、固定部２４の締め付け用ネジの操作によって容易に行うことが可能である。しかも、無段階に調整できるので、使用者Ａに合わせて細かな調整も可能である。また、把持棒３０の位置は、図３に示す平面視で、使用者Ａの頭側に位置する一方の湾曲把持部３２が使用者Ａの肩近傍となるようにしておく。
【００４０】
このようにして設置された手すり１０の把持棒３０が水平把持部３１と湾曲把持部３２とを有しているので、使用者Ａは、水平把持部３１を持ち易い場合には水平把持部３１に合わせて手の向きを変えればよく、また、水平把持部３１を持ち難い場合には、湾曲把持部３２に合わせて手の向きを変えればよい。さらに、湾曲把持部３２は下側湾曲部３２ｂと上側湾曲部３２ｃとを有しているので、把持する位置をずらすだけで手の向きを変えることが可能になり、把持し易い向きとすることが可能になる。
【００４１】
さらに、上側湾曲部３２ｃと下側湾曲部３２ｂとは湾曲方向が異なっているので、例えば身体を起こすときと、倒すときとで手の向きを変えたい場合に把持する位置を変えるだけで対応できる。
【００４２】
使用者Ａが把持棒３０を把持して体重をかけたときには、マット部材１５自体に重量があり、床面に沿って延びているため、把持棒３０がぐらつくことはない。
【００４３】
また、ベッド１０１の使用時には、マットレス１００上の寝具等がマットレス１００からはみ出して湾曲把持部３２，３２の間に位置している場合がある。この状態で上半身を起こす方向にマットレス１００を動かすと、湾曲把持部３２，３２の間が開放されていることにより、寝具等が湾曲把持部３２，３２に干渉し難くなる。また、把持棒３０をベッド１０１のサイドフレーム１０１ａから水平方向に１２０ｍｍ以上離して配置し、しかも、湾曲把持部３２，３２の下側湾曲部３２ｂ，３２ｂがマットレス１００から離れる方向に湾曲しているので、これらのことによっても寝具等が湾曲把持部３２，３２に干渉し難くなる。尚、マットレス１００を動かす際に、使用者Ａの手等が把持棒３０に干渉するのも防止できる。
【００４４】
以上のように、本考案の実施形態によれば、把持棒３０が、水平把持部３１と、水平把持部３１と交差する方向に湾曲しながら延びる湾曲把持部３２とを備えているので、手を色々な方向に向けた状態で把持棒３０を把持することができ、これにより、様々な人がいろいろな場面において使い易い手すり１０とすることができる。
【００４５】
また、湾曲把持部３２を有していることにより、把持棒３１を把持する際に把持位置を上下方向及び左右方向に変えるだけで手の向きを変えることができる。
【００４６】
また、マットレス１００上の寝具等が両湾曲把持部３２，３２の間に存在している状態でマットレス１００を上方へ動かした場合に、両湾曲把持部３２，３２の間が開放されていることにより、寝具等が湾曲把持部３２，３２に干渉し難くなる。これにより、マットレス１００を安全に動かすことができる。
【００４７】
また、湾曲把持部３２，３２が全体としてマットレス１００から離れる方向に湾曲しており、しかも、位置決め部材４５により把持棒３０をベッド１０１から水平方向に１２０ｍｍ以上離して配置している。これらのことによっても、把持棒３０がマットレス１００上の寝具等に干渉し難くなり、マットレス１００を安全に動かすことが可能になる。把持棒３０とベッド１０１との離間寸法は、位置決め部材４５の形状や取付位置によって任意に設定することが可能であり、１２０ｍｍ以上に限られるものではない。
【００４８】
尚、本考案の手すり１０は、ベッド１０１周りで使用するのに限定されるものではなく、例えば、家の玄関等の段差を昇降する際に使用してもよいし、段差のない廊下に設置して歩行用の補助手すりとして使用してもよい。さらに、立ち上がり時につかまる手すり１０として利用するだけではなく、台所で家事をする際には、水平把持部３１にもたれかかることができる。また、本考案の手すり１０は、ベッド１０１から使用者Ａが落ちるのを防止する場合に使用することもできる。
【産業上の利用可能性】
【００４９】
以上説明したように、本考案に係る手すりは、例えば、ベッド周りで使用することができる。
【図面の簡単な説明】
【００５０】
【図１】手すりの正面図である。
【図２】手すりの側面図である。
【図３】手すりの平面図である。
【図４】把持棒及び支柱部材の位置を変更した例を示す図２相当図である。
【図５】図１のＶ−Ｖ線における断面図である。
【符号の説明】
【００５１】
１０            手すり
２０            支柱部材
３０            把持棒
３１            水平把持部（第１把持部）
３２            湾曲把持部（第２把持部）
４５            位置決め部材
１００          マットレス
１０１          ベッド
Ａ              使用者
【図１】
0003148521.tif 000003
【図２】
0003148521.tif 000004
【図３】
0003148521.tif 000005
【図４】
0003148521.tif 000006
【図５】
0003148521.tif 000007